(57)【要約】【課題】複数の画像形成装置に対して、省電力モードの機能を有しているか、或いは省電力モードの機能を有している場合に、省電力モードに移行する設定がなされているか把握することが困難であった。【解決手段】ネットワークを介してホスト、および、クライアントコンピュータと接続された画像形成装置において、画像形成装置の機器構成情報を取得する手段と、電源状態を省電力モードへ変更可能する機能があるかどうかを判定する手段と、前記判定手段により電源状態を省電力モードへ変更可能する機能が有る場合に、省電力モードへ移行するための設定がなされているかを判定する手段と、前記判定手段により電源状態を省電力モードへ変更可能する機能が無いと判定された画像形成装置、および電源状態を省電力モードへ変更可能する機能が有るにも関わらず、省電力モードへ移行するための設定がなされていないと判定された画像形成装置の情報を管理者へＥｍａｉｌで通知する手段と、を有することを特徴とする。【選択図】  図１１
2014013985.tif 000002
【特許請求の範囲】
【請求項１】
ネットワークを介してホスト、および、クライアントコンピュータと接続された画像形成装置において、
画像形成装置の機器構成情報を取得する手段（Ｓ１１０１）と、
電源状態を省電力モードへ変更可能する機能があるかどうかを判定する手段（Ｓ１１０６）と、
前記判定手段により電源状態を省電力モードへ変更可能する機能が有る場合に、省電力モードへ移行するための設定がなされているかを判定する手段（Ｓ１１０８）と、
前記判定手段により電源状態を省電力モードへ変更可能する機能が無いと判定された画像形成装置、および電源状態を省電力モードへ変更可能する機能が有るにも関わらず、省電力モードへ移行するための設定がなされていないと判定された画像形成装置の情報を管理者へＥｍａｉｌで通知する手段（Ｓ１１１１）と、
を有することを特徴とする画像形成装置管理システム。
【請求項２】
ネットワークを介してホスト、および、クライアントコンピュータと接続された画像形成装置において、
画像形成装置の機器構成情報を取得する工程（Ｓ１１０１）と、
電源状態を省電力モードへ変更可能する機能があるかどうかを判定する工程（Ｓ１１０６）と、
前記判定工程により電源状態を省電力モードへ変更可能する機能が有る場合に、省電力モードへ移行するための設定がなされているかを判定する工程（Ｓ１１０８）と、
前記判定工程により電源状態を省電力モードへ変更可能する機能が無いと判定された画像形成装置、および電源状態を省電力モードへ変更可能する機能が有るにも関わらず、省電力モードへ移行するための設定がなされていないと判定された画像形成装置の情報を管理者へＥｍａｉｌで通知する工程（Ｓ１１１１）と、
を有することを特徴とする画像形成装置管理方法。
【請求項３】
ネットワークを介してホスト、および、クライアントコンピュータと接続された画像形成装置において、
画像形成装置の機器構成情報を取得する手段（Ｓ１１０１）と、
電源状態を省電力モードへ変更可能する機能があるかどうかを判定する手段（Ｓ１１０６）と、
前記判定手段により電源状態を省電力モードへ変更可能する機能が有る場合に、省電力モードへ移行するための設定がなされているかを判定する手段（Ｓ１１０８）と、
前記判定手段により電源状態を省電力モードへ変更可能する機能が無いと判定された画像形成装置、および電源状態を省電力モードへ変更可能する機能が有るにも関わらず、省電力モードへ移行するための設定がなされていないと判定された画像形成装置の情報を管理者へＥｍａｉｌで通知する手段（Ｓ１１１１）と、
を有することを特徴とするプログラム。
【発明の詳細な説明】
【技術分野】
【０００１】
本発明は、画像形成装置の稼働状況を管理する画像形成装置管理システム、管理装置、画像形成装置管理方法及びプログラムに関する。
【背景技術】
【０００２】
近年、二酸化炭素等の温室効果ガスの排出量を低減するために、プリンタや複合機等の画像形成装置使用時における消費電力量を低減することが求められている。消費電力を低減するための一つの方法として、画像形成装置においても、省電力モードが実装されることが一般的となってきた。
【０００３】
一方で画像形成装置を効率的に利用するため、コンピュータ上で稼動し、画像形成装置の状態や消耗品を監視するソフトウエアも数多く存在する。これらのソフトウエアは画像形成装置のユーザーに対してさまざまな情報を提供する一方で、そのアクセスが画像形成装置の省電力モードを妨げる要因ともなっている。
【０００４】
このような問題に対処するため、従来の画像形成装置の制御方法には、画像形成装置の省電力モードの阻害要因となりうる外部からの周期的なアクセスを記録し、ユーザーに報知するものがある（例えば、特許文献１参照）。
【先行技術文献】
【特許文献】
【０００５】
【特許文献１】特開２００７−２９５１４５号公報
【発明の概要】
【発明が解決しようとする課題】
【０００６】
しかしながら、上記特許文献１に記載の装置では、クライアントコンピュータ等の外部から画像形成装置に対するアクセスパケットに着目している。そのため、複数の画像形成装置に対して、省電力モードの機能を有しているか、或いは省電力モードの機能を有している場合に、省電力モードに移行する設定がなされているか把握することが困難であるという課題があった。
【０００７】
本発明は、上記課題に鑑みてなされたものであり、無駄な電力を使用している画像形成装置を探索することが可能な画像形成装置管理システム、管理装置、画像形成装置管理方法及びプログラムを提供するものである。
【課題を解決するための手段】
【０００８】
ネットワークを介してホスト、および、クライアントコンピュータと接続された画像形成装置において、
画像形成装置の機器構成情報を取得する手段（Ｓ１１０１）と、
電源状態を省電力モードへ変更可能する機能があるかどうかを判定する手段（Ｓ１１０６）と、
前記判定手段により電源状態を省電力モードへ変更可能する機能が有る場合に、省電力モードへ移行するための設定がなされているかを判定する手段（Ｓ１１０８）と、
前記判定手段により電源状態を省電力モードへ変更可能する機能が無いと判定された画像形成装置、および電源状態を省電力モードへ変更可能する機能が有るにも関わらず、省電力モードへ移行するための設定がなされていないと判定された画像形成装置の情報を管理者へＥｍａｉｌで通知する手段（Ｓ１１１１)と、
を有する。
【発明の効果】
【０００９】
本発明によれば、省電力モードで動作していない画像形成装置の情報を管理者が正確に把握することができるという効果がある。
【図面の簡単な説明】
【００１０】
【図１】本発明の実施形態を示す画像形成装置管理システムの構成を示す模式図である。
【図２】ホストコンピュータ１０１、分析サーバー１０２の内部構成の一例を示すブロック図である。
【図３】複合機１０４の内部構成の一例を示すブロック図である。
【図４】ホストコンピュータ１０１の機能的構成の一例を示すブロック図である。
【図５】分析サーバー１０２の機能的構成の一例を示すブロック図である。
【図６】複合機１０４のデータ処理構成の一例を示すブロック図である。
【図７】画像情報形成装置情報テーブルの一例を示す図である。
【図８】ジョブログテーブルの一例を示す図である。
【図９】状態遷移ログテーブルの一例を示す図である。
【図１０】電源状態変更設定テーブルの一例を示す図である。
【図１１】探索処理の処理手順の一例を示すフローチャートである。
【発明を実施するための形態】
【００１１】
以下、本発明を実施するための最良の形態について図面を用いて説明する。
【００１２】
＜実施例１＞
＜システム構成の説明＞
図１は、本発明の実施形態を示す画像形成装置管理システムの構成を示す模式図である。
【００１３】
図１において、１０１はホストコンピュータで、ユーザーが使用して画像データを生成し、印刷を行う。ホストコンピュータ１０１には、後述するハードウェア資源と、オペレーティングシステム（ＯＳ）、プリンタドライバ等を含むソフトウエア資源を備える。
【００１４】
さらに、ホストコンピュータ１０１はネットワーク１０５に接続される画像形成装置と所定のプロトコルで通信可能に接続されている。
【００１５】
１０３はプリンタで、ネットワークを介して受信した印刷データを受け取り、電子写真技術やインクジェット技術などの既知の印刷技術を利用して実際の用紙に印刷を行う。１０４は複合機（ＭＦＰ（Ｍｕｌｔｉ  Ｆｕｎｃｔｉｏｎ  Ｐｒｉｎｔｅｒ））で、ネットワークを介して受信した印刷データを受け取り、電子写真技術やインクジェット技術などの既知の印刷技術を利用して実際の用紙に印刷を行う。
【００１６】
また、複合機１０４は、スキャナを介して紙原稿を読み取り、コピーを行ったり、画像データに変換しＥｍａｉｌなどで送信したりする機能も持つ。もちろん、コピー機能を持たない、プリンタも適用可能である。
【００１７】
１０２は分析サーバーで、プリンタ１０３や複合機１０４の二酸化炭素排出量や消費電力などの分析を行う。
【００１８】
なお、ホストコンピュータ１０１、複合機１０４、プリンタ１０３、分析サーバー１０２はイーサネット（登録商標）などの既知の技術によるネットワーク１０５により相互に通信可能に接続されている。
【００１９】
また、本実施形態では、分析サーバー１０２をプリンタ１０３、複合機１０４とは別構成として設けているが、同様の機能をもつモジュールをプリンタ１０３、複合機１０４の内部に設けるように構成しても構わない。この場合、分析サーバー１０２とプリンタ１０３、複合機１０４の間で行われるネットワーク通信は、システムバスなどを介したデータの受け渡しに置き換えて考えられる。
【００２０】
＜コンピュータの内部構成＞
図２は、ホストコンピュータ１０１、分析サーバー１０２を構成する情報処理装置の内部構成の一例を示すブロック図である。
【００２１】
図２において、２００はコンピュータ全体（ＰＣ）である。
【００２２】
ＰＣ２００は、ＲＯＭ２０２あるいは、例えば大規模記憶装置としてのＨＤ２１１に記憶されたソフトウエアを実行するＣＰＵ２０１を備え、ＣＰＵ２０１はシステムバス２０５に接続される各画像形成装置を総括的に制御する。
【００２３】
２０３はＲＡＭで、ＣＰＵ２０１の主メモリ、ワークエリア等として機能する。
【００２４】
２０４はネットワークインターフェースカード（ＮＩＣ）で、ネットワーク１０５を介して、他のノードと双方向にデータをやりとりする。
【００２５】
２０６はキーボードコントローラ（ＫＢＤＣ）で、ＰＣに備えられたキーボード（ＫＢＤ）２０９からの指示入力を制御する。
【００２６】
２０７はディスプレイコントローラ（ＤＩＳＰＣ）で、例えば液晶ディスプレイなどで構成される表示モジュール（ＤＩＳＰＬＡＹ）２１０の表示を制御する。
【００２７】
２０８はディスクコントローラ（ＤＫＣ）であり、大容量記憶画像形成装置であるハードディスク（ＨＤ）２１１を制御する。
【００２８】
＜複合機の内部構成＞
図３は、図１に示した複合機１０４の内部構成の一例を示すブロック図である。
【００２９】
図３において、３００は複合機全体である。
【００３０】
複合機３００は、ＲＯＭ３０２あるいは例えばハードディスクなどの大規模記憶装置としてのＨＤ３１３に記憶されたソフトウエアを実行するＣＰＵ３０１を備え、ＣＰＵ３０１はシステムバス３０５に接続される各画像形成装置を総括的に制御する。
【００３１】
３０３はＲＡＭで、ＣＰＵ３０１の主メモリ、ワークエリア等として機能する。
【００３２】
３０４はネットワークインターフェースカード（ＮＩＣ）で、ネットワーク１０５を介して、他のノードとデータをやりとりする。
【００３３】
３０６はパネルコントローラ（ＰＡＮＥＬＣ）で、複合機に備えられたオペレーションパネル（ＰＡＮＥＬ）３１１からの指示入力を制御する。
【００３４】
３０７はディスプレイコントローラ（ＤＩＳＰＣ）で、例えば液晶ディスプレイなどで構成される表示モジュール（ＤＩＳＰＬＡＹ）３１２の表示を制御する。
【００３５】
３０８はディスクコントローラ（ＤＫＣ）であり、大容量記憶画像形成装置であるハードディスク（ＨＤ）３１３を制御する。
【００３６】
３０９はスキャナコントローラ（ＳＣＡＮＣ）で、複合機に備えられた光学式スキャナ装置（スキャナ）３１４を制御し、紙原稿の読み取りを行う。
【００３７】
３１０はプリンタコントローラ（ＰＲＮＣ）で、複合機に備えられたプリンタ装置（プリンタ）３１５を制御し、電子写真技術やインクジェット技術などの既知の印刷技術を利用して実際の用紙に印刷を行う。
【００３８】
なお、図１に示したプリンタ１０３の内部構成は、上記で示した複合機１０４の内部構成よりスキャナコントローラ３０９及び光学式スキャナ装置３１４を除いたものと考えることができる。さらに、パネルコントローラ（ＰＡＮＥＬＣ）３０６、オペレーションパネル３１１、ディスプレイコントローラ（ＤＩＳＰＣ）３０７、表示モジュール（ＤＩＳＰＬＡＹ）３１２などを取り除いた構成でもよい。
【００３９】
＜ホストコンピュータの機能的構成＞
図４は、図１に示したホストコンピュータ１０１の機能的構成の一例を示すブロック図である。
【００４０】
図４において、４００はホストコンピュータ全体である。
【００４１】
４０１は印刷指示を行う印刷アプリケーションであり、プリンタドライバ４０２に対して描画命令などを送信することにより、印刷指示を行う。
【００４２】
４０２はプリンタドライバで、印刷アプリケーション４０１から受けた描画命令などを複合機が解釈可能な印刷データ、すなわちＰＤＬ（Ｐａｇｅ  Ｄｅｓｃｒｉｐｔｉｏｎ  Ｌａｎｇｕａｇｅ；ページ記述言語）に変換する。さらに、プリンタドライバ４０２は、印刷アプリケーション４０１を操作して印刷を指示したユーザーのユーザーＩＤをジョブオーナー情報として付加し、印刷ジョブを作成し、印刷ジョブ送信部４０３に送信する。
【００４３】
４０３は印刷ジョブ送信部で、プリンタドライバ４０２より受け取った印刷ジョブを複合機１０４に送信する。
【００４４】
４０４はＷｅｂブラウザで、ＨＴＭＬデータを解釈し、表示モジュール２１０へ画面描画を行い、キーボード等からのユーザー操作を受け付け、ＨＴＴＰ通信部４０５へ要求を送信する。
【００４５】
４０５はＨＴＴＰ通信部で、Ｗｅｂブラウザからの通信要求を受けて画像処理装置等とＮＩＣ２０４を経由してＨＴＴＰ又はＨＴＴＰＳプロトコルを用いて通信を行いＷｅｂページの要求、Ｗｅｂページデータの受信等を行う。
【００４６】
＜分析サーバーの機能的構成＞
図５は、図１に示した分析サーバー１０２の機能的構成の一例を示すブロック図である。
【００４７】
図５において、５００は分析サーバー全体である。
【００４８】
５０１はインターフェース部であり、図２に示したＮＩＣ２０４を通じてネットワーク１０５を経由して、ホストコンピュータ１０１、プリンタ１０３、複合機１０４との通信を行う。
【００４９】
５０２はジョブログ収集部であり、プリンタ１０３、複合機１０４のジョブログ管理部６１０により管理されているジョブログ情報を、インターフェース部５０１を経由して定期的に収集して保管する。また、プリンタ１０３、複合機１０４がジョブログ情報を送信し、ジョブログ収集部５０２がジョブログ情報を受信した際にジョブログ情報を保管するようにしても良い。
【００５０】
５０３は分析処理部であり、ジョブログ情報や状態遷移ログ情報をもとに複合機１０４などの画像形成装置の二酸化炭素排出量、消費電力、各モードの時間、電源状態変更の設定値と効果などの分析処理をする。
【００５１】
５０４は画像形成装置情報管理部であり、画像形成装置の能力情報、構成情報、消費電力情報などを保持する。また、インターフェース部５０１を経由してプリンタ１０３、複合機１０４より能力情報や構成情報を取得して保管する。
【００５２】
５０５は電源状態管理部であり、インターフェース部５０１を経由してプリンタ１０３、複合機１０４より電源状態通知を受信し、状態遷移ログを作成して保管する。また、電源状態変更の設定を保管し、その設定値に基づき、インターフェース部５０１を経由してプリンタ１０３、複合機１０４へ電源オフや省電力移行などの電源状態変更要求を送信し、リモートで電源状態を変更する。
【００５３】
＜複合機の機能的構成＞
図６は、図１に示した複合機１０４のデータ処理構成の一例を示すブロック図である。
【００５４】
図６において、６００は複合機全体を示す。
【００５５】
６０１はインターフェース部であり、ネットワーク１０５と接続し、ホストコンピュータ１０１から印刷ジョブを受信する。
【００５６】
６０２は印刷データ格納部であり、印刷ジョブデータを一時的に格納する。
【００５７】
６０３はＵＩ制御部であり、パネルコントローラ（ＰＡＮＥＬＣ）３０６を経由してオペレーションパネル３１１を制御し、ユーザーからの複合機１０４へのコピー指示や、スキャン送信指示を受け付ける。
【００５８】
６０４はジョブ管理部であり、ホストコンピュータ１０１から受信する印刷ジョブを解析し、ユーザー名や印刷部数やカラー印刷などの出力属性情報を取得し、ジョブの開始日時と共にジョブ情報として管理する。
【００５９】
６０５は印刷データ展開部であり、ジョブ管理部６０４に格納されたジョブ情報に従い、印刷データ格納部６０２から印刷データを取得して画像生成処理を行い、イメージデータをＲＡＭ３０３上に生成する。
【００６０】
６０６はスキャナ制御部であり、スキャナコントローラ３０９を制御し、紙原稿のスキャンを行い、作成されたイメージデータを作成する。なお、スキャナ制御部６０６では、原稿給送装置として、ＡＤＦ、ＲＤＦ等を接続可能とする場合には、ＡＤＦ又はＲＤＦからの原稿給紙と原稿排紙を制御する。また、両面原稿を読み取る場合には、スキャナ制御部６０６は、原稿の反転制御を行う場合もある。
【００６１】
６０７はイメージデータ格納部であり、印刷データ展開部６０５、スキャナ制御部６０６が生成したイメージデータを一時的に格納する。
【００６２】
６０８はプリンタ制御部であり、プリンタエンジン６０９を制御し、イメージデータ格納部６０７に格納されたイメージデータの印刷を行わせる。
【００６３】
６０９はプリンタエンジンであり、イメージデータ格納部６０７に格納されたイメージデータを、電子写真技術やインクジェット技術などの既知の印刷技術を用いて印刷用紙などのメディアに実際に印刷する。
【００６４】
６１０はジョブログ管理部であり、ジョブログ情報を管理する。ジョブ管理部６０４は、ジョブが完了すると管理するジョブ情報をジョブログ情報としてジョブログ管理部６１０に送信し、ジョブログ管理部６１０で保管する。ジョブログ管理部６１０は、分析サーバー１０２からの要求に応答してジョブログを送信する。
【００６５】
６１２は電源制御部であり、複合機１０３、１０４の電源を制御し、通常モード、省電力モード（動作モード）、電源オフの３つの電源状態を管理する。省電力モードは、通常モードよりも電力消費量が小さいモードである。なお、電源制御部６１２は、省電力モードを複数段階に設定できるようにしても良い。また、複合機１０３、１０４の構成モジュール毎に省電力モードを設けるようにしても構わない。電源制御部６１２は、種々の条件に応じて、各電源状態に移行可能である。例えば、電源制御部６１２は、通常モードにおいて、複合機１０３、１０４に対して一定時間操作が行われず、印刷ジョブの受信、ＦＡＸ受信、ネットワークからの命令受信等が行われなかった場合に省電力モードへ移行する。また、電源制御部６１２は、省電力モードにおいて、何らかの操作が行われた、印刷ジョブの受信、ＦＡＸ受信、ネットワークからの命令受信等が行われた場合に、通常モードに移行する。電源制御部６１２は、電源状態を変更するときに電源状態通知部６１１に通知する。さらに、電源制御部６１２は、分析サーバー１０２からの電源オフや省電力移行などの電源状態変更要求に応じて電源状態を変更する。
【００６６】
６１１は電源状態通知部であり、電源制御部６１２からの通知を受けて、インターフェース部６０１を介して通知する。また、電源状態通知部６１１は、通常モードで動作中にも定期的に電源状態を通知している。具体的には、電源状態通知には、稼動中、省電力移行、省電力解除、電源オン、電源オフの種別が含まれる。稼働中の通知は、複合機が通常モードで動作中であることを示し、通常モードで動作中に定期的に行われる。省電力移行の通知は、複合機が通常モードから省電力モードへ移行するときに通知される。省電力解除の通知は、複合機が省電力モードから通常モードへ移行するときに通知される。電源オンの通知は、複合機が電源オフ状態から電源が投入され、通常モードに移行するときに行われる。電源オフの通知は、複合機が電源オフに移行するときに行われる。なお、インターフェース部６０１を介した通知の方法としては、独自の通信規約でも、公に定義された通信規約を使用しても構わない。また、予め指定された分析サーバー１０２でも、マルチキャストやブロードキャストで複数の相手に通知してもよい。
【００６７】
なお、スキャナを持たないプリンタ１０３の構成は、図６で説明した複合機１０４の構成から、スキャナ制御部６０６、ＵＩ制御部６０３などを除いた構成と考えることができる。
【００６８】
＜画像形成装置情報テーブル＞
図７は、図５に示した画像情報形成装置情報管理部５０４が備える画像情報形成装置情報テーブルの一例を示す図である。
【００６９】
図７において、７０１の列は画像形成装置ＩＤであり、画像形成装置をシステム内で一意に識別するＩＤを示す。
【００７０】
７０２の列は画像形成装置名を示す。
【００７１】
さらに、画像情報形成装置消情報デーブルは、画像形成装置が、外部からの電源状態変更要求に応じて電源状態変更する機能があるかの情報を保持する。本実施形態では電源状態変更要求として、電源オフ要求、省電力移行要求に応じて各電源状態に移行する機能があるかの情報を保持した場合の例を示す。
【００７２】
７０３の列は画像形成装置に、外部からの電源オフ要求に応じて電源オフする機能があるかを示す。
【００７３】
７０４の列は画像形成装置に、外部からの省電力移行要求に応じて省電力移行する機能があるかを示す。
【００７４】
さらに、画像情報形成装置消情報デーブルは、画像形成装置の構成情報を保持する。本実施形態では構成情報として、カラー印刷機能、スキャン機能、ファックス機能の構成情報を保持した場合の例を示す。
【００７５】
７０５の列は画像形成装置にカラー機能があるかを示す。
【００７６】
７０６の列は画像形成装置にスキャン機能があるかを示す。
【００７７】
７０７の列は画像形成装置にファックス機能があるかを示す。
【００７８】
７０８の列は通常モード時の消費電力を示す。
【００７９】
７０９の列は省電力モード時の消費電力を示す。
【００８０】
７１０の列は電源オフ時の消費電力を示す。
【００８１】
７１１の列はジョブ処理時のジョブ１ページあたりの消費電力を示す。なお、ジョブ種やカラーモードなどの出力条件によって、ジョブ処理時の消費電力が異なる場合は、それらの出力条件ごとにジョブ処理時の消費電力を保持するようにすることもできる。
【００８２】
画像情報形成装置情報管理部５０４が管理するこれらの情報により、画像形成装置の構成情報や消費電力がわかる。
【００８３】
例えば、画像形成装置情報７１１は、画像形成装置Ａは、リモート電源オフ機能、リモート省電力移行機能、カラー機能、スキャン機能、ファックス機能がすべて存在する。また、通常モード時に１００Ｗ、省電力モード時に１Ｗ、電源オフ時に０Ｗ、ジョブ処理時に３Ｗｈ／ページの電力を消費することを示す。
【００８４】
画像形成装置情報テーブルの各設定値は、画像形成装置の機種によって初期値を決めるようにすることもできる。画像形成装置の機種名や構成情報は、画像情報形成装情報管理部５０４により、例えばＳＮＭＰなどのプロトコルを使用しネットワークを経由して複合機から取得することができる。
【００８５】
または、分析サーバー１０２の入力装置より設定値を指定・変更するようにすることもできる。
【００８６】
＜ジョブログテーブル＞
図８は、図５に示したジョブログ収集部５０２が備えるジョブログテーブルの一例を示す図である。
【００８７】
図８において、８０１の列はジョブログＩＤであり、ジョブログをシステム内で一意に識別するＩＤである。
【００８８】
８０２の列は、ジョブを処理した画像形成装置の画像形成装置ＩＤである。
【００８９】
８０３の列は、ジョブ種であり、ジョブ種としては、ホストからの印刷であるプリント、コピー、スキャン、複合機内に保存された文書を印刷するボックスプリントなどが挙げられる。
【００９０】
８０４の列は、ジョブの処理開始日時である。
【００９１】
８０５の列は、ジョブの処理終了日時である。
【００９２】
８０６の列は、カラーページ数であり、該当ジョブにより印刷されたカラーページのページ数が記録される。
【００９３】
８０７の列は、白黒ページ数であり、該当ジョブにより印刷された白黒ページのページ数が記録される。
【００９４】
８０８の列は、スキャンページ数であり、該当ジョブによりスキャンされたページ数が記録される。スキャンページ数は、カラースキャンページ数、白黒スキャンページ数など区別して記録することもできる。
【００９５】
これらの情報により、誰が、どのようなジョブがどの日時に開始され終了したかというジョブログ情報を記録する。
【００９６】
例えば、８０９のジョブログは、画像形成装置ＩＤが１０１の画像形成装置で２０１０／４／２５  １４：２５：３０に開始し、２０１０／４／２５  １４：４０：３０に終了したコピージョブが実行されたことを示している。さらに、このジョブでは、１０ページスキャンされ、１０ページのカラー印刷が行われたことを示している。
【００９７】
また、ジョブログテーブルをジョブ種毎に作成するように構成してもよい。
【００９８】
＜状態遷移ログテーブル＞
図９は、図５に示した電源状態管理部５０５が備える状態遷移ログテーブルの一例を示す図である。状態遷移ログテーブルは、電源状態通知およびジョブログより計算した画像形成装置の状態遷移についてのログを記録するテーブルである。電源状態管理部５０５は、プリンタ１０３や複合機１０４から電源状態通知を受信すると、受信した電源状態通知の種類とともに、受信した日時を状態遷移ログテーブルに記録する。また、ジョブログ収集部５０２はジョブログ収集時に、ジョブログよりジョブ開始日時に電源状態が「ジョブ処理中」に遷移し、ジョブ終了日時に元の状態に戻るように状態遷移ログテーブルを更新する。
【００９９】
図９において、９０１の列は状態が遷移した画像形成装置の画像形成装置ＩＤである。
【０１００】
９０２の列は、状態が遷移した日時である。
【０１０１】
９０３の列は、遷移した状態である。
【０１０２】
例えば、９０５の状態遷移ログは、画像形成装置ＩＤが１０１の画像形成装置が２０１０／４／２６  ０９：０１：−００にジョブ処理中に状態遷移したことを示している。
【０１０３】
＜電源状態変更設定テーブル＞
図１０は、図５に示した電源状態管理部５０５が備える電源状態変更設定テーブルの一例を示す図である。電源状態変更設定テーブルは、各画像形成装置に対する、電源オフや省電力移行などの電源状態変更要求を送信する時刻の設定を保持するテーブルである。電源状態管理部５０５は、電源状態変更設定テーブルの設定値に従い、該当時刻に該当する電源状態になるように、対象の画像形成装置に要求を送信する。
【０１０４】
図１０において、１００１の列は画像形成装置ＩＤであり、該当行がどの画像形成装置の設定であるかを示す。
【０１０５】
１００２の列は、電源状態を変更する時刻の設定値を示す。
【０１０６】
１００３の列は、送信する電源状態変更要求を示す。
【０１０７】
例えば、１００４の設定は、画像形成装置ＩＤが１０１の画像形成装置に対して２２：００に電源オフ要求を送信することを示している。
【０１０８】
電源状態変更設定テーブルは、分析サーバー１０２の入力装置より設定値を指定・変更するようにすることもできる。
【０１０９】
＜探索処理＞
図１１は、本実施例を示す画像形成装置におけるデータ処理手順の一例を示すフローチャートである。本探索処理では、省電力モードに移行する機能を持たない画像形成装置および、省電力モードに移行する機能があるにも関わらず、省電力モードに移行する設定が施されていない画像処理装置を探索し、管理者にＥｍａｉｌで通知する。
【０１１０】
なお、Ｓ１１０１〜Ｓ１１１１は各ステップを示し、各ステップには、ＣＰＵ２０１がＨＤ２１１、ＲＯＭ２０２等により制御プログラムをＲＡＭ２０３にロードして実行することで実現される。
【０１１１】
探索処理を開始すると、Ｓ１１０１で分析処理部５０３は、画像形成装置情報管理部５０４に保管されている画像形成装置情報を取得する。
【０１１２】
続いてＳ１１０２で分析処理部５０３は、画像形成装置情報管理部５０４に保管されている画像形成装置情報から読み出した画像形成装置の総数（ｎ）をカウントする。
【０１１３】
次にＳ１１０３では、前記ステップＳ１１０２において画像形成装置情報管理部５０４に保管されている画像形成装置情報のエントリをカウントするためのインデックス（ｉ）を０に初期化する。
【０１１４】
次にＳ１１０４では、前記ステップＳ１１０３で初期化したインデックス（ｉ）が前記ステップＳ１１０２で算出した画像形成装置の総数（ｎ）を超えているかどうかの判断が行われる。Ｓ１１０４において、インデックス（ｉ）が画像形成装置の総数（ｎ）を超えていないと判断した場合には、Ｓ１１０５に移行し、それ以外の場合にはＳ１１１１に移行する。
【０１１５】
Ｓ１１０５では画像形成装置情報管理部５０４に保管されているｉ番目の画像形成装置情報を参照し、Ｓ１１０６へ移行する。
【０１１６】
Ｓ１１０６では前記Ｓ１１０５で読み出したｉ番目の画像形成装置情報のうち、省電力機能の有無についての情報を参照する。省電力機能の有無については、図７の画像形成装置情報テーブルに記録されている７０４の外部からの省電力移行要求に応じて省電力移行するかを示す情報を参照し判断する。Ｓ１１０６において、省電力機能が有りと判断した場合は、Ｓ１１０８に移行し、省電力機能が無いと判断した場合は、Ｓ１１０７に移行する。
【０１１７】
Ｓ１１０７では、ｉ番目の画像形成装置に省電力機能が無いことをＲＡＭ２０３に記憶して、Ｓ１１１０に移行する。
【０１１８】
Ｓ１１０８では、前記Ｓ１１０５で読み出したｉ番目の画像形成装置情報のうち、省電力機能が設定されているか情報を参照する。省電力機能が設定されているかどうかについては、図９の状態遷移ログテーブルに記録されている情報を参照し判断する。具体的には図９の９０３の遷移した状態のエントリに「省電力移行」が一定の期間の間に存在するかどうかにより判断する。前記の一定の期間とは、探索開始時間から「１時間以内」や「２４時間以内」のように、予め管理者が設定可能である。Ｓ１１０８において省電力設定済みと判断した場合は、Ｓ１１１０に移行し、設定されていないと判断した場合は、Ｓ１１０９に移行する。Ｓ１１０９では、ｉ番目の画像形成装置は省電力機能があるにも関わらず、設定していないことをＲＡＭ２０３に記憶して、Ｓ１１１０に移行する。
【０１１９】
Ｓ１１１０では、インデックス（ｉ）をインクリメントして、Ｓ１１０４に戻る。
【０１２０】
Ｓ１１１１では、前記ステップＳ１１０７およびＳ１１０９にてＲＡＭ２０３に記憶された探索結果を予め設定された管理者に通知して処理を終了する。
【符号の説明】
【０１２１】
１０１  ホストコンピュータ
１０２  分析サーバー
１０３  プリンタ
１０４  複合機
【図１】
2014013985.tif 000003
【図２】
2014013985.tif 000004
【図３】
2014013985.tif 000005
【図４】
2014013985.tif 000006
【図５】
2014013985.tif 000007
【図６】
2014013985.tif 000008
【図７】
2014013985.tif 000009
【図８】
2014013985.tif 000010
【図９】
2014013985.tif 000011
【図１０】
2014013985.tif 000012
【図１１】
2014013985.tif 000013